【手続補正書】
【提出日】平成25年1月10日(2013.1.10)
【手続補正１】
【補正対象書類名】特許請求の範囲
【補正対象項目名】全文
【補正方法】変更
【補正の内容】
【特許請求の範囲】
【請求項１】
引張強さが２６００〜３０００ＭＰａのオーステナイト系ステンレス鋼からなり、近位端側大径部と前記近位端側大径部より外径の小さい遠位端側小径部とを有するコアワイヤと、
前記コアワイヤの遠位端側小径部の外周に軸方向に沿って装着され、少なくとも先端部および後端部において、前記コアワイヤに固着されているコイルスプリングとを備えてなり、
前記コイルスプリングは、
０．００８インチ以下のコイル外径を有する先端側小径部と、
前記先端側小径部のコイル外径より大きいコイル外径を有する中径部と、
０．０１２インチ以上であって前記中径部のコイル外径より大きいコイル外径を有する後端側大径部と、
前記先端側小径部と前記中径部との間に位置する第１テーパ部と、
前記中径部と前記後端側大径部との間に位置する第２テーパ部とを有し、
前記コイルスプリングが固着されている前記コアワイヤの遠位端側小径部を直径３ｍｍのロッドの外周に沿って１回巻き付けた状態で１５０ｇｆの引張荷重を１０秒間負荷したときに、巻き付けによる先端部分の反り角度が２５°未満であることを特徴とする医療用ガイドワイヤ。
【請求項２】
引張強さが２６００〜３０００ＭＰａのオーステナイト系ステンレス鋼からなり、外径が０．０１２インチ以上である近位端側大径部と、前記近位端側大径部より外径の小さい遠位端側小径部とを有するコアワイヤと；
前記コアワイヤの遠位端側小径部の外周に軸方向に沿って装着され、コイル線径の１．１〜２．０倍のコイルピッチを有する密巻部分と、前記密巻部分に連続し、コイル線径の２．０倍を超えるコイルピッチを有する粗巻部分とからなるコイルスプリングとを備えてなり；
前記コイルスプリングは、
０．００８インチ以下のコイル外径を有する先端側小径部と、
前記先端側小径部のコイル外径より大きいコイル外径を有する中径部と、
０．０１２インチ以上であって前記中径部のコイル外径より大きいコイル外径を有する後端側大径部と、
前記先端側小径部と前記中径部との間に位置する第１テーパ部と、
前記中径部と前記後端側大径部との間に位置する第２テーパ部とを有し、
前記先端側小径部と前記第１テーパ部と前記中径部と前記第２テーパ部とにより、長さ５．５〜１１０ｍｍの前記密巻部分が構成されているとともに、前記後端側大径部により前記疎巻部分が構成され；
前記先端側小径部の先端部分、第２テーパ部の後端部分、および前記後端側大径部の後端部分は、はんだにより、前記コアワイヤの遠位端側小径部の外周に固着され、
前記コイルスプリングが固着されている前記コアワイヤの遠位端側小径部を直径３ｍｍのロッドの外周に沿って１回巻き付けた状態で１５０ｇｆの引張荷重を１０秒間負荷したときに、巻き付けによる先端部分の反り角度が２５°未満であることを特徴とする請求項１に記載の医療用ガイドワイヤ。
【請求項３】
前記コアワイヤの近位端側大径部の外径が０．０１４インチ以上であり、
前記コイルスプリングの先端側小径部のコイル外径が０．００８インチ以下、
前記中径部のコイル外径が０．００９〜０．０１１インチ、
前記後端側大径部のコイル外径が０．０１４インチ以上であることを特徴とする請求項２に記載の医療用ガイドワイヤ。
【請求項４】
前記中径部のコイル外径に対する前記先端側小径部のコイル外径の比が０．５〜０．９、前記第１テーパ部の長さが０．５〜１０ｍｍであり、
前記中径部のコイル外径に対する前記後端側大径部のコイル外径の比が１．１〜２．３、前記第２テーパ部の長さが０．５〜１０ｍｍであることを特徴とする請求項３に記載の医療用ガイドワイヤ。
【請求項５】
前記先端側小径部の先端部分は、金含有はんだにより、前記コアワイヤに固着され、
金含有はんだによる先端硬直部分の長さが０．１〜０．５ｍｍであることを特徴とする請求項１乃至請求項４の何れかに記載の医療用ガイドワイヤ。
【請求項６】
前記コイルスプリングの先端側小径部において、金含有はんだが、先端から１〜４ピッチに相当する範囲においてコイル内部に浸透していることを特徴とする請求項５に記載の医療用ガイドワイヤ。
【請求項７】
前記コイルスプリングの内部に樹脂が充填されているとともに、前記コイルスプリングの外周に前記樹脂による樹脂層が形成され、前記樹脂層の表面に親水性樹脂層が積層形成され、
前記コアワイヤの表面には撥水性樹脂層が形成されていることを特徴とする請求項１乃至請求項６の何れかに記載の医療用ガイドワイヤ。
【請求項８】
引張強さが２６００〜３０００ＭＰａのオーステナイト系ステンレス鋼からなり、近位端側大径部と前記近位端側大径部より外径の小さい遠位端側小径部とを有するコアワイヤと、
前記コアワイヤの遠位端側小径部の外周に軸方向に沿って装着され、少なくとも先端部および後端部において、前記コアワイヤに固着されているコイルスプリングとを有する医療用ガイドワイヤであって、
前記コアワイヤの近位端側大径部の外径および前記コイルスプリングのコイル外径が、何れも０．０１２インチ以下であり、
前記コイルスプリングの先端部は、金含有はんだにより、前記コアワイヤに固着され、  金含有はんだによる先端硬直部分の長さが０．１〜０．５ｍｍであり、
前記コイルスプリングが固着されている前記コアワイヤの遠位端側小径部を直径３ｍｍのロッドの外周に沿って１回巻き付けた状態で１５０ｇｆの引張荷重を１０秒間負荷したときに、巻き付けによる先端部分の反り角度が２５°未満であることを特徴とする医療用ガイドワイヤ。
【請求項９】
引張強さが２６００〜３０００ＭＰａのオーステナイト系ステンレス鋼からなり、近位端側大径部と前記近位端側大径部より外径の小さい遠位端側小径部とを有するコアワイヤと、
前記コアワイヤの遠位端側小径部の外周に軸方向に沿って装着され、先端側小径部と、前記先端側小径部よりコイル外径の大きい後端側大径部と、前記先端側小径部と前記後端側大径部との間に位置するテーパ部とを有し、少なくとも先端部および後端部において前記コアワイヤに固着されているコイルスプリングとを有し、
前記コイルスプリングの先端側小径部の長さが５〜１００ｍｍ、コイル外径が０．０１２インチ以下であり、
前記コイルスプリングの先端部は、金含有はんだにより、前記コアワイヤに固着され、  金含有はんだによる先端硬直部分の長さが０．１〜０．５ｍｍであり、
前記コイルスプリングが固着されている前記コアワイヤの遠位端側小径部を直径３ｍｍのロッドの外周に沿って１回巻き付けた状態で１５０ｇｆの引張荷重を１０秒間負荷したときに、巻き付けによる先端部分の反り角度が２５°未満であることを特徴とする医療用ガイドワイヤ。
【手続補正２】
【補正対象書類名】明細書
【補正対象項目名】００１３
【補正方法】変更
【補正の内容】
【００１３】
（１）本発明の医療用ガイドワイヤは、引張強さが２６００〜３０００ＭＰａのオーステナイト系ステンレス鋼からなり、近位端側大径部と前記近位端側大径部より外径の小さい遠位端側小径部とを有するコアワイヤと、
前記コアワイヤの遠位端側小径部の外周に軸方向に沿って装着され、少なくとも先端部および後端部において、前記コアワイヤに固着されているコイルスプリングとを備えてなり、
前記コイルスプリングは、
０．００８インチ以下のコイル外径を有する先端側小径部と、
前記先端側小径部のコイル外径より大きいコイル外径を有する中径部と、
０．０１２インチ以上であって前記中径部のコイル外径より大きいコイル外径を有する後端側大径部と、
前記先端側小径部と前記中径部との間に位置する第１テーパ部と、
前記中径部と前記後端側大径部との間に位置する第２テーパ部とを有し、
前記コイルスプリングが固着されている前記コアワイヤの遠位端側小径部を直径３ｍｍのロッドの外周に沿って１回巻き付けた状態で１５０ｇｆの引張荷重を１０秒間負荷したときに、巻き付けによる先端部分の反り角度が２５°未満であることを特徴とする。
【手続補正３】
【補正対象書類名】明細書
【補正対象項目名】００３２
【補正方法】変更
【補正の内容】
【００３２】
（８）本発明の医療用ガイドワイヤは、引張強さが２６００〜３０００ＭＰａのオーステナイト系ステンレス鋼からなり、近位端側大径部と前記近位端側大径部より外径の小さい遠位端側小径部とを有するコアワイヤと、
前記コアワイヤの遠位端側小径部の外周に軸方向に沿って装着され、少なくとも先端部および後端部において、前記コアワイヤに固着されているコイルスプリングとを有する医療用ガイドワイヤであって、
前記コアワイヤの近位端側大径部の外径および前記コイルスプリングのコイル外径が、何れも０．０１２インチ以下であり、
前記コイルスプリングの先端部は、金含有はんだにより、前記コアワイヤに固着され、  金含有はんだによる先端硬直部分の長さが０．１〜０．５ｍｍであり、
曲げ癖角度（θ）が２５°未満であることを特徴とする。
【手続補正４】
【補正対象書類名】明細書
【補正対象項目名】００３３
【補正方法】変更
【補正の内容】
【００３３】
（９）本発明の医療用ガイドワイヤは、引張強さが２６００〜３０００ＭＰａのオーステナイト系ステンレス鋼からなり、近位端側大径部と前記近位端側大径部より外径の小さい遠位端側小径部とを有するコアワイヤと、
前記コアワイヤの遠位端側小径部の外周に軸方向に沿って装着され、先端側小径部と、前記先端側小径部よりコイル外径の大きい後端側大径部と、前記先端側小径部と前記後端側大径部との間に位置するテーパ部とを有し、少なくとも先端部および後端部において前記コアワイヤに固着されているコイルスプリングとを有し、
前記コイルスプリングの先端側小径部の長さが５〜１００ｍｍ、コイル外径が０．０１２インチ以下であり、
前記コイルスプリングの先端部は、金含有はんだにより、前記コアワイヤに固着され、  金含有はんだによる先端硬直部分の長さが０．１〜０．５ｍｍであり、
曲げ癖角度（θ）が２５°未満であることを特徴とする。